【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
埋込可能デバイスを送達するためのシステムであって、前記システムは、送達デバイスを備え、前記送達デバイスは、
外側管状部材と、
第１の内側管腔および第２の内側管腔を有する、内側管状部材であって、前記内側管状部材は、前記外側管状部材内で摺動可能であり、前記第１の内側管腔は、インプラントの近位部分と解放可能に結合するように構成された伸長グラスパ部材を格納するように適合されている、内側管状部材と、
前記第２の内側管腔内で摺動可能な遠位制御部材であって、前記遠位制御部材は、前記インプラントの遠位部分と解放可能に結合するように構成されたリテーナを備える、遠位制御部材と
を備える、システム。
【請求項２】
前記インプラントをさらに備える、請求項１に記載のシステム。
【請求項３】
前記インプラントは、尿道前立腺部を少なくとも部分的に開放状態に維持するように構成されている、請求項２に記載のシステム。
【請求項４】
前記インプラントは、第１および第２のリング形状の構造と、前記第１および第２のリング形状の構造間に延在する相互接続部とを備える、本体を有する、請求項３に記載のシステム。
【請求項５】
前記インプラントの本体は、単一ワイヤのみである、請求項４に記載のシステム。
【請求項６】
前記インプラントは、前記リテーナと解放可能に結合するように構成された遠位係合部材を備える、請求項２に記載のシステム。
【請求項７】
前記インプラントは、前記伸長グラスパ部材と解放可能に結合するように構成された近位係合部材を備える、請求項２に記載のシステム。
【請求項８】
前記インプラントは、前記インプラントの最遠位部分から離れるように近位に延在するワイヤ状遠位係合部材を備える、請求項２に記載のシステム。
【請求項９】
前記インプラントは、ワイヤ状近位係合部材を備える、請求項２に記載のシステム。
【請求項１０】
前記第１のリング形状の構造は、前記インプラントの最遠位のリング形状の構造であり、前記第２のリング形状の構造より比較的に小さい幅を有する、請求項２に記載のシステム。
【請求項１１】
前記内側管状部材は、前記遠位制御部材に対して摺動可能および回転可能である一方、前記リテーナは、前記インプラントの遠位部分と解放可能に結合されている、請求項１に記載のシステム。
【請求項１２】
前記リテーナと結合され、前記リテーナからの前記インプラントの遠位部分の解放を可能にするためにユーザによって操作可能な近位端を有する、伸長部材をさらに備える、請求項１１に記載のシステム。
【請求項１３】
前記リテーナは、管状であり、前記遠位制御部材に沿って摺動するように適合されている、請求項１２に記載のシステム。
【請求項１４】
前記遠位制御部材は、前記インプラントの遠位部分を受容するように適合された陥凹を備える、請求項１に記載のシステム。
【請求項１５】
前記リテーナは、前記陥凹を露出するために移動可能である一方、前記インプラントの遠位部分は、前記陥凹内に受容される、請求項１４に記載のシステム。
【請求項１６】
前記リテーナは、スロットを備える、請求項１５に記載のシステム。
【請求項１７】
伸長アンカ部材をさらに備える、請求項１に記載のシステム。
【請求項１８】
前記伸長アンカ部材は、膀胱壁に接触するように構成されたアンカを備える、請求項１７に記載のシステム。
【請求項１９】
前記アンカは、膨張可能バルーンである、請求項１８に記載のシステム。
【請求項２０】
前記伸長アンカ部材は、複数のバルーンを備える、請求項１８に記載のシステム。
【請求項２１】
前記伸長アンカ部材は、展開されると自動的に偏向するように構成された部分を有するワイヤ形態部材を備える、請求項１７に記載のシステム。
【請求項２２】
前記伸長グラスパ部材は、前記インプラントの近位部分と解放可能に結合するように構成された陥凹を備える、請求項１に記載のシステム。
【請求項２３】
前記システムは、前記陥凹が前記第１の内側管腔によって拘束解除されると、前記インプラントの近位部分が前記伸長グラスパ部材の陥凹から自由に解放するように構成されている、請求項２２に記載のシステム。
【請求項２４】
前記送達デバイスの近位端領域と結合された近位制御デバイスをさらに備える、請求項１に記載のシステム。
【請求項２５】
前記近位制御デバイスは、前記送達デバイスからの前記インプラントの展開を制御するためにユーザによって操作可能である、請求項２４に記載のシステム。
【請求項２６】
前記近位制御デバイスは、筐体を備え、前記伸長グラスパ部材を前記筐体および前記内側管状部材に対して遠位に前進させるように構成されている、請求項２４に記載のシステム。
【請求項２７】
前記近位制御デバイスは、筐体を備え、前記内側管状部材を前記筐体および前記遠位制御部材に対して近位に後退および回転させるように構成されている、請求項２４に記載のシステム。
【請求項２８】
前記近位制御デバイスは、筐体を備え、前記外側管状部材を前記筐体に対して近位に後退させるように構成されている、請求項２４に記載のシステム。
【請求項２９】
前記近位制御デバイスは、
ユーザアクチュエータと、
前記ユーザアクチュエータと結合された第１の歯車アセンブリと、
前記第１の歯車アセンブリと結合されたカムアセンブリと、
前記カムアセンブリと結合された第２の歯車アセンブリと
を備える、請求項２４に記載のシステム。
【請求項３０】
前記第１の歯車アセンブリは、前記伸長グラスパ部材の縦方向移動を制御するように構成され、前記カムアセンブリは、前記内側管状部材の縦方向移動を制御するように構成され、前記第２の歯車アセンブリは、前記内側管状部材の回転を制御するように構成されている、請求項２９に記載のシステム。
【請求項３１】
埋込可能デバイスを送達するためのシステムであって、前記システムは、
内側管腔を有する第１の伸長部材と、前記内側管腔内で摺動可能であり、かつインプラントの近位部分を保持するように構成されている、伸長グラスパ部材と、前記インプラントの遠位部分を保持するように構成された遠位制御部材とを備える、送達デバイスと、
前記送達デバイスの近位端領域と結合された近位制御デバイスであって、前記近位制御デバイスは、ユーザアクチュエータと、筐体とを備える、近位制御デバイスと
を備える、システム。
【請求項３２】
前記近位制御デバイスは、第１の歯車アセンブリを前記筐体内に備え、前記近位制御デバイスは、前記ユーザアクチュエータの移動を前記第１の歯車アセンブリ内の移動に変換するように構成されている、請求項３１に記載のシステム。
【請求項３３】
前記近位制御デバイスは、第１の方向における前記第１の歯車アセンブリの移動と第２の方向における前記第１の歯車アセンブリの移動との間で選択するスイッチを備える、請求項３１に記載のシステム。
【請求項３４】
前記ユーザアクチュエータは、第１の爪および第２の爪と結合されているヨークと結合されている、請求項３３に記載のシステム。
【請求項３５】
前記スイッチは、前記第１の爪または前記第２の爪のいずれかをピニオン歯車と選択的に係合する、請求項３４に記載のシステム。
【請求項３６】
前記近位制御デバイスは、前記ピニオン歯車の回転がかさ歯車の回転を生じさせるように構成されている、請求項３５に記載のシステム。
【請求項３７】
前記近位制御デバイスは、前記かさ歯車の回転が前記伸長グラスパ部材と結合されたリールの回転を生じさせるように構成されている、請求項３６に記載のシステム。
【請求項３８】
前記かさ歯車と係合された入力歯車と、
前記入力歯車と係合されたリール歯車であって、前記リール歯車は、前記リールと結合または統合されている、リール歯車と
をさらに備える、請求項３７に記載のシステム。
【請求項３９】
前記入力歯車は、間欠歯車であり、前記入力歯車による前記リール歯車の回転は、前記リールの回転および前記伸長グラスパ部材の縦方向移動を生じさせる、請求項３８に記載のシステム。
【請求項４０】
前記第１の方向における前記第１の歯車アセンブリの移動は、前記伸長グラスパ部材の遠位移動を生じさせ、前記第２の方向における前記第１の歯車アセンブリの移動は、前記伸長グラスパ部材の近位移動を生じさせる、請求項３３に記載のシステム。
【請求項４１】
前記近位制御デバイスは、カムアセンブリを前記筐体内に備え、前記近位制御デバイスは、前記ユーザアクチュエータの移動を前記カムアセンブリ内の移動に変換するように構成されている、請求項３２に記載のシステム。
【請求項４２】
前記カムアセンブリは、前記第１の伸長部材と結合されている、請求項４１に記載のシステム。
【請求項４３】
前記カムアセンブリは、前記第１の伸長部材を前記筐体に対して近位に移動させるように構成されている、請求項４２に記載のシステム。
【請求項４４】
前記カムアセンブリは、スロットを有する回転可能カムを備え、前記第１の伸長部材は、前記スロット内に受容されたガイド部材と結合されている、請求項４３に記載のシステム。
【請求項４５】
前記スロットは、傾斜スロット部分と、半径方向スロット部分とを備える、請求項４４に記載のシステム。
【請求項４６】
前記カムアセンブリは、縦方向スロットを有する内側管を備え、前記ガイド部材が、前記縦方向スロット内に受容される、請求項４４に記載のシステム。
【請求項４７】
前記第１の歯車アセンブリは、前記第１の歯車アセンブリ内の別の歯車の歯と係合する第１の歯のセットを有する、かさ歯車を備え、前記かさ歯車は、前記かさ歯車の移動が前記カムアセンブリ内の移動を生じさせるように、前記カムアセンブリと結合されている、請求項４１に記載のシステム。
【請求項４８】
前記近位制御デバイスは、第２の歯車アセンブリを備える、請求項４１に記載のシステム。
【請求項４９】
前記カムアセンブリ内の移動は、前記第２の歯車アセンブリ内の移動を生じさせる、請求項４８に記載のシステム。
【請求項５０】
前記第２の歯車アセンブリは、前記第１の伸長部材と結合され、前記第１の伸長部材を前記筐体に対して回転させるように構成されている、請求項４９に記載のシステム。
【請求項５１】
前記第２の歯車アセンブリは、開口を有する中心歯車を備え、前記開口は、前記中心歯車の回転が前記第１の伸長部材の回転を生じさせるように、前記第１の伸長部材を受容するように構成されている、請求項５０に記載のシステム。
【請求項５２】
前記第２の歯車アセンブリは、前記カムアセンブリと結合され、遊星歯車アセンブリを経由して前記中心歯車と結合されている、環状歯車を備える、請求項５１に記載のシステム。
【請求項５３】
前記環状歯車は、第１の方向における前記環状歯車の回転が前記中心歯車の第１の指向性回転を生じさせ、第２の方向における前記環状歯車の回転が前記中心歯車の第２の指向性回転を生じさせるように、前記遊星歯車アセンブリに係合し、前記中心歯車の第１の指向性回転が、前記第２の指向性回転と反対である、請求項５２に記載のシステム。
【請求項５４】
前記近位制御デバイスは、前記伸長グラスパ部材によって保持される前記インプラントの近位部分が前記内側管腔から退出しないように防止する、解放可能係止機構を備える、請求項３２に記載のシステム。
【請求項５５】
前記係止機構は、前記第１の歯車アセンブリのかさ歯車内の溝と界面接触する移動可能な追跡機構を備え、前記近位制御デバイスは、前記インプラントが前記内側管腔から退出するにつれて、前記かさ歯車の移動が前記追跡機構を移動させるように構成されている、請求項５４に記載のシステム。
【請求項５６】
前記近位制御デバイスは、前記追跡機構が、前記インプラントの近位部分が前記内側管腔から退出することに先立って、さらなる運動を防止されるように構成されている、請求項５５に記載のシステム。
【請求項５７】
前記近位制御デバイスは、ユーザによって作動されるように構成された解放構造を備え、前記解放構造は、前記追跡機構を前記かさ歯車から係脱し、前記インプラントの近位部分が前記内側管腔から退出することを可能にするように構成されている、請求項５６に記載のシステム。
【請求項５８】
前記解放構造は、プルタブである、請求項５７に記載のシステム。
【請求項５９】
前記解放構造は、前記伸長グラスパ部材と結合されている、請求項５７に記載のシステム。
【請求項６０】
前記インプラントをさらに備える、請求項３１に記載のシステム。
【手続補正２】
【補正対象書類名】明細書
【補正対象項目名】０００５
【補正方法】変更
【補正の内容】
【０００５】
本明細書に説明される主題の他のシステム、デバイス、方法、特徴、および利点も、以下の図および発明を実施するための形態の検討に応じて、当業者に明白である、または明白となるであろう。全てのそのような付加的システム、方法、特徴、および利点は、本説明内に含まれ、本明細書に説明される主題の範囲内であって、付随の請求項によって保護されることが意図される。例示的実施形態の特徴は、請求項内にそれらの特徴の明示的列挙がない限り、添付の請求項を限定するものといかようにも解釈されないべきである。
本願明細書は、例えば、以下の項目も提供する。
（項目１）
埋込可能デバイスを送達するためのシステムであって、前記システムは、送達デバイスを備え、前記送達デバイスは、
外側管状部材と、
第１の内側管腔および第２の内側管腔を有する、内側管状部材であって、前記内側管状部材は、前記外側管状部材内で摺動可能であり、前記第１の内側管腔は、インプラントの近位部分と解放可能に結合するように構成された伸長グラスパ部材を格納するように適合されている、内側管状部材と、
前記第２の内側管腔内で摺動可能な遠位制御部材であって、前記遠位制御部材は、前記インプラントの遠位部分と解放可能に結合するように構成されたリテーナを備える、遠位制御部材と
を備える、システム。
（項目２）
前記インプラントをさらに備える、項目１に記載のシステム。
（項目３）
前記インプラントは、尿道前立腺部を少なくとも部分的に開放状態に維持するように構成されている、項目２に記載のシステム。
（項目４）
前記インプラントは、第１および第２のリング形状の構造と、前記第１および第２のリング形状の構造間に延在する相互接続部とを備える、本体を有する、項目３に記載のシステム。
（項目５）
前記インプラントの本体は、単一ワイヤのみである、項目４に記載のシステム。
（項目６）
前記インプラントは、前記リテーナと解放可能に結合するように構成された遠位係合部材を備える、項目２に記載のシステム。
（項目７）
前記インプラントは、前記伸長グラスパ部材と解放可能に結合するように構成された近位係合部材を備える、項目２に記載のシステム。
（項目８）
前記インプラントは、前記インプラントの最遠位部分から離れるように近位に延在するワイヤ状遠位係合部材を備える、項目２に記載のシステム。
（項目９）
前記インプラントは、ワイヤ状近位係合部材を備える、項目２に記載のシステム。
（項目１０）
前記第１のリング形状の構造は、前記インプラントの最遠位のリング形状の構造であり、前記第２のリング形状の構造より比較的に小さい幅を有する、項目２に記載のシステム。
（項目１１）
前記内側管状部材は、前記遠位制御部材に対して摺動可能および回転可能である一方、前記リテーナは、前記インプラントの遠位部分と解放可能に結合されている、項目１に記載のシステム。
（項目１２）
前記リテーナと結合され、前記リテーナからの前記インプラントの遠位部分の解放を可能にするためにユーザによって操作可能な近位端を有する、伸長部材をさらに備える、項目１１に記載のシステム。
（項目１３）
前記リテーナは、管状であり、前記遠位制御部材に沿って摺動するように適合されている、項目１２に記載のシステム。
（項目１４）
前記遠位制御部材は、前記インプラントの遠位部分を受容するように適合された陥凹を備える、項目１に記載のシステム。
（項目１５）
前記リテーナは、前記陥凹を露出するために移動可能である一方、前記インプラントの遠位部分は、前記陥凹内に受容される、項目１４に記載のシステム。
（項目１６）
前記リテーナは、スロットを備える、項目１５に記載のシステム。
（項目１７）
伸長アンカ部材をさらに備える、項目１に記載のシステム。
（項目１８）
前記伸長アンカ部材は、膀胱壁に接触するように構成されたアンカを備える、項目１７に記載のシステム。
（項目１９）
前記アンカは、膨張可能バルーンである、項目１８に記載のシステム。
（項目２０）
前記伸長アンカ部材は、複数のバルーンを備える、項目１８に記載のシステム。
（項目２１）
前記伸長アンカ部材は、展開されると自動的に偏向するように構成された部分を有するワイヤ形態部材を備える、項目１７に記載のシステム。
（項目２２）
前記伸長グラスパ部材は、前記インプラントの近位部分と解放可能に結合するように構成された陥凹を備える、項目１に記載のシステム。
（項目２３）
前記システムは、前記陥凹が前記第１の内側管腔によって拘束解除されると、前記インプラントの近位部分が前記伸長グラスパ部材の陥凹から自由に解放するように構成されている、項目２２に記載のシステム。
（項目２４）
前記送達デバイスの近位端領域と結合された近位制御デバイスをさらに備える、項目１に記載のシステム。
（項目２５）
前記近位制御デバイスは、前記送達デバイスからの前記インプラントの展開を制御するためにユーザによって操作可能である、項目２４に記載のシステム。
（項目２６）
前記近位制御デバイスは、筐体を備え、前記伸長グラスパ部材を前記筐体および前記内側管状部材に対して遠位に前進させるように構成されている、項目２４に記載のシステム。
（項目２７）
前記近位制御デバイスは、筐体を備え、前記内側管状部材を前記筐体および前記遠位制御部材に対して近位に後退および回転させるように構成されている、項目２４に記載のシステム。
（項目２８）
前記近位制御デバイスは、筐体を備え、前記外側管状部材を前記筐体に対して近位に後退させるように構成されている、項目２４に記載のシステム。
（項目２９）
前記近位制御デバイスは、
ユーザアクチュエータと、
前記ユーザアクチュエータと結合された第１の歯車アセンブリと、
前記第１の歯車アセンブリと結合されたカムアセンブリと、
前記カムアセンブリと結合された第２の歯車アセンブリと
を備える、項目２４に記載のシステム。
（項目３０）
前記第１の歯車アセンブリは、前記伸長グラスパ部材の縦方向移動を制御するように構成され、前記カムアセンブリは、前記内側管状部材の縦方向移動を制御するように構成され、前記第２の歯車アセンブリは、前記内側管状部材の回転を制御するように構成されている、項目２９に記載のシステム。
（項目３１）
埋込可能デバイスを送達するためのシステムであって、前記システムは、
内側管腔を有する第１の伸長部材と、前記内側管腔内で摺動可能であり、かつインプラントの近位部分を保持するように構成されている、伸長グラスパ部材と、前記インプラントの遠位部分を保持するように構成された遠位制御部材とを備える、送達デバイスと、
前記送達デバイスの近位端領域と結合された近位制御デバイスであって、前記近位制御デバイスは、ユーザアクチュエータと、筐体とを備える、近位制御デバイスと
を備える、システム。
（項目３２）
前記近位制御デバイスは、第１の歯車アセンブリを前記筐体内に備え、前記近位制御デバイスは、前記ユーザアクチュエータの移動を前記第１の歯車アセンブリ内の移動に変換するように構成されている、項目３１に記載のシステム。
（項目３３）
前記近位制御デバイスは、第１の方向における前記第１の歯車アセンブリの移動と第２の方向における前記第１の歯車アセンブリの移動との間で選択するスイッチを備える、項目３１に記載のシステム。
（項目３４）
前記ユーザアクチュエータは、第１の爪および第２の爪と結合されているヨークと結合されている、項目３３に記載のシステム。
（項目３５）
前記スイッチは、前記第１の爪または前記第２の爪のいずれかをピニオン歯車と選択的に係合する、項目３４に記載のシステム。
（項目３６）
前記近位制御デバイスは、前記ピニオン歯車の回転がかさ歯車の回転を生じさせるように構成されている、項目３５に記載のシステム。
（項目３７）
前記近位制御デバイスは、前記かさ歯車の回転が前記伸長グラスパ部材と結合されたリールの回転を生じさせるように構成されている、項目３６に記載のシステム。
（項目３８）
前記かさ歯車と係合された入力歯車と、
前記入力歯車と係合されたリール歯車であって、前記リール歯車は、前記リールと結合または統合されている、リール歯車と
をさらに備える、項目３７に記載のシステム。
（項目３９）
前記入力歯車は、間欠歯車であり、前記入力歯車による前記リール歯車の回転は、前記リールの回転および前記伸長グラスパ部材の縦方向移動を生じさせる、項目３８に記載のシステム。
（項目４０）
前記第１の方向における前記第１の歯車アセンブリの移動は、前記伸長グラスパ部材の遠位移動を生じさせ、前記第２の方向における前記第１の歯車アセンブリの移動は、前記伸長グラスパ部材の近位移動を生じさせる、項目３３に記載のシステム。
（項目４１）
前記近位制御デバイスは、カムアセンブリを前記筐体内に備え、前記近位制御デバイスは、前記ユーザアクチュエータの移動を前記カムアセンブリ内の移動に変換するように構成されている、項目３２に記載のシステム。
（項目４２）
前記カムアセンブリは、前記第１の伸長部材と結合されている、項目４１に記載のシステム。
（項目４３）
前記カムアセンブリは、前記第１の伸長部材を前記筐体に対して近位に移動させるように構成されている、項目４２に記載のシステム。
（項目４４）
前記カムアセンブリは、スロットを有する回転可能カムを備え、前記第１の伸長部材は、前記スロット内に受容されたガイド部材と結合されている、項目４３に記載のシステム。
（項目４５）
前記スロットは、傾斜スロット部分と、半径方向スロット部分とを備える、項目４４に記載のシステム。
（項目４６）
前記カムアセンブリは、縦方向スロットを有する内側管を備え、前記ガイド部材が、前記縦方向スロット内に受容される、項目４４に記載のシステム。
（項目４７）
前記第１の歯車アセンブリは、前記第１の歯車アセンブリ内の別の歯車の歯と係合する第１の歯のセットを有する、かさ歯車を備え、前記かさ歯車は、前記かさ歯車の移動が前記カムアセンブリ内の移動を生じさせるように、前記カムアセンブリと結合されている、項目４１に記載のシステム。
（項目４８）
前記近位制御デバイスは、第２の歯車アセンブリを備える、項目４１に記載のシステム。
（項目４９）
前記カムアセンブリ内の移動は、前記第２の歯車アセンブリ内の移動を生じさせる、項目４８に記載のシステム。
（項目５０）
前記第２の歯車アセンブリは、前記第１の伸長部材と結合され、前記第１の伸長部材を前記筐体に対して回転させるように構成されている、項目４９に記載のシステム。
（項目５１）
前記第２の歯車アセンブリは、開口を有する中心歯車を備え、前記開口は、前記中心歯車の回転が前記第１の伸長部材の回転を生じさせるように、前記第１の伸長部材を受容するように構成されている、項目５０に記載のシステム。
（項目５２）
前記第２の歯車アセンブリは、前記カムアセンブリと結合され、遊星歯車アセンブリを経由して前記中心歯車と結合されている、環状歯車を備える、項目５１に記載のシステム。
（項目５３）
前記環状歯車は、第１の方向における前記環状歯車の回転が前記中心歯車の第１の指向性回転を生じさせ、第２の方向における前記環状歯車の回転が前記中心歯車の第２の指向性回転を生じさせるように、前記遊星歯車アセンブリに係合し、前記中心歯車の第１の指向性回転が、前記第２の指向性回転と反対である、項目５２に記載のシステム。
（項目５４）
前記近位制御デバイスは、前記伸長グラスパ部材によって保持される前記インプラントの近位部分が前記内側管腔から退出しないように防止する、解放可能係止機構を備える、項目３２に記載のシステム。
（項目５５）
前記係止機構は、前記第１の歯車アセンブリのかさ歯車内の溝と界面接触する移動可能な追跡機構を備え、前記近位制御デバイスは、前記インプラントが前記内側管腔から退出するにつれて、前記かさ歯車の移動が前記追跡機構を移動させるように構成されている、項目５４に記載のシステム。
（項目５６）
前記近位制御デバイスは、前記追跡機構が、前記インプラントの近位部分が前記内側管腔から退出することに先立って、さらなる運動を防止されるように構成されている、項目５５に記載のシステム。
（項目５７）
前記近位制御デバイスは、ユーザによって作動されるように構成された解放構造を備え、前記解放構造は、前記追跡機構を前記かさ歯車から係脱し、前記インプラントの近位部分が前記内側管腔から退出することを可能にするように構成されている、項目５６に記載のシステム。
（項目５８）
前記解放構造は、プルタブである、項目５７に記載のシステム。
（項目５９）
前記解放構造は、前記伸長グラスパ部材と結合されている、項目５７に記載のシステム。
（項目６０）
前記インプラントをさらに備える、項目３１に記載のシステム。
（項目６１）
インプラントを送達する方法であって、
送達デバイスを患者の体腔内で前進させることであって、前記送達デバイスは、インプラントを格納する第１の管状部材と、前記第１の管状部材内で摺動可能であり、前記インプラントの遠位部分と解放可能に結合されている、遠位制御部材と、前記第１の管状部材内で摺動可能であり、前記インプラントの近位部分と解放可能に結合されている、伸長グラスパ部材とを備える、ことと、
相対的運動を前記伸長グラスパ部材と前記第１の管状部材との間に生じさせ、前記インプラントの少なくとも一部を前記第１の管状部材内から暴露させることと、
前記インプラントの遠位部分を前記遠位制御部材から、および前記インプラントの近位部分を前記伸長グラスパ部材から解放することと
を含む、方法。
（項目６２）
前記体腔は、ヒトの尿道前立腺部である、項目６１に記載の方法。
（項目６３）
前記遠位部分および前記近位部分の解放に応じて、前記インプラントは、前記尿道前立腺部を少なくとも部分的に開放状態に維持するように適合された状態において、前記送達デバイスから解放される、項目６１に記載の方法。
（項目６４）
前記インプラントは、第１および第２のリング形状の構造と、前記第１および第２のリング形状の構造間に延在する相互接続部とを備える、本体を有する、項目６１に記載の方法。
（項目６５）
相対的運動を生じさせることは、前記伸長グラスパ部材を遠位に前進させることを含む、項目６４に記載の方法。
（項目６６）
前記第１の管状部材からの前記第１のリング形状の構造の暴露の間、前記第１の管状部材を前記遠位制御部材に対して第１の方向に回転させることをさらに含む、項目６５に記載の方法。
（項目６７）
前記第１の管状部材からの前記第２のリング形状の構造の暴露の間、前記第１の管状部材を前記遠位制御部材に対して第２の方向に回転させることをさらに含み、前記第２の方向は、前記第１の方向と反対である、項目６６に記載の方法。
（項目６８）
前記第１および第２の方向における前記第１の管状部材の回転は、前記遠位制御部材が前記インプラントの遠位部分と解放可能に結合されている間に生じる、項目６７に記載の方法。
（項目６９）
前記第１の管状部材を前記伸長グラスパ部材および前記遠位制御部材に対して近位に後退させ、前記相互接続部を前記第１の管状部材から暴露させることをさらに含む、項目６５に記載の方法。
（項目７０）
前記第１の管状部材を回転させながら、前記第１の管状部材を近位に後退させることをさらに含む、項目６８に記載の方法。
（項目７１）
前記相互接続部は、湾曲される、項目６９に記載の方法。
（項目７２）
リテーナは、前記インプラントの遠位部分を前記遠位制御部材に結合し、前記方法は、前記リテーナを解放し、前記インプラントの遠位部分を前記遠位制御部材から解放することを含む、項目６１に記載の方法。
（項目７３）
前記インプラントの近位部分を前記第１の管状部材内から暴露させ、前記インプラントの近位部分を前記伸長グラスパ部材から解放することをさらに含む、項目６１に記載の方法。
（項目７４）
相対的運動を前記伸長グラスパ部材と前記第１の管状部材との間で生じさせる前に、前記送達デバイスを膀胱の壁に対して係留することをさらに含む、項目６１に記載の方法。
（項目７５）
前記送達デバイスを係留することは、バルーンを前記膀胱内で膨張させることを含む、項目７４に記載の方法。
（項目７６）
近位制御デバイスは、前記送達デバイスの近位端領域と結合され、
前記方法は、前記ユーザによって前記近位制御デバイスのユーザアクチュエータを移動させることを含み、前記ユーザアクチュエータを移動させることは、前記近位制御デバイスの第１の歯車アセンブリ内の運動を生じさせる、項目６１に記載の方法。
（項目７７）
前記第１の歯車アセンブリは、前記伸長グラスパ部材を前記第１の管状部材に対して遠位に前進させる、項目７６に記載の方法。
（項目７８）
前記第１の歯車アセンブリは、カムアセンブリおよび第２の歯車アセンブリ内の移動を生じさせる、項目７６に記載の方法。
（項目７９）
前記カムアセンブリ内の移動は、前記遠位制御部材に対して前記第１の管状部材の断続後退を生じさせる、項目７８に記載の方法。
（項目８０）
前記第２の歯車アセンブリ内の移動は、前記遠位制御部材に対して前記第１の管状部材の断続回転を生じさせる、項目７８に記載の方法。
（項目８１）
前記ユーザアクチュエータは、第１のユーザアクチュエータであり、前記方法は、前記近位制御デバイスの第２のユーザアクチュエータを作動させることを含む、項目７６に記載の方法。
（項目８２）
前記第２のユーザアクチュエータを作動させることは、係止機構を係止解除し、前記遠位制御部材からの前記インプラントの遠位部分および前記伸長グラスパ部材からの前記インプラントの近位部分の解放を可能にする、項目８１に記載の方法。
（項目８３）
前記第２のユーザアクチュエータを作動させることは、リテーナを前記インプラントの遠位部分から除去し、前記遠位制御部材を回転させ、前記インプラントの遠位部分を前記遠位制御部材から係脱させる、項目８１に記載の方法。
（項目８４）
前記第１の管状部材は、前記送達デバイスの外側管状部材内に摺動可能に受容された内側管状部材である、項目６１に記載の方法。